(57)【要約】【課題】  容易に且つ確実に釣竿の竿尻部に脱着することができる釣竿用肘当て具を提供する。【解決手段】  釣竿Ｒの竿尻部Ｒａ上側に肘当て部材２をあてがい、同下側に締結部材３をあてがい、該肘当て部材２と締結部材３間を釣竿Ｒの竿尻部Ｒａ左右側において雄ねじ４により締結することにより、簡単な構成で容易に釣竿Ｒの竿尻部Ｒａに脱着することができ、容易に取付位置・取付角度の変更を行うことができると共に、取付位置に確実強固に取り付けることができる。【選択図】  図１
2011130716.tif 000002
【特許請求の範囲】
【請求項１】
釣竿の竿尻部上側に肘当て部材をあてがい、同下側に締結部材をあてがい、該肘当て部材と締結部材間を釣竿の竿尻部左右側において雄ねじにより締結することを特徴とする釣竿用肘当て具。
【請求項２】
上記肘当て部材及び締結部材の双方に設けた雄ねじ緩挿孔に雄ねじを緩挿し、該雄ねじのヘッド部を上記肘当て部材又は締結部材の一方に設けた雄ねじ緩挿孔の開孔縁で座受けし、上記肘当て部材又は締結部材の他方に設けた雄ねじ緩挿孔から突出した雄ねじの軸部自由端にナットを螺合して締結する構造を有し、上記肘当て部材又は締結部材の一方又は双方に設けた雄ねじ緩挿孔が雄ねじの左右側方への移動を許容する長孔であることを特徴とする請求項１記載の釣竿用肘当て具。
【請求項３】
上記雄ねじの軸部自由端を突出させる雄ねじ緩挿孔の左右の少なくとも一方が釣竿の竿軸方向に開放せるＵ字孔であることを特徴とする請求項２記載の釣竿用肘当て具。
【請求項４】
上記雄ねじのヘッド部直下の首下部に平面部を形成し、該雄ねじのヘッド部を座受けする雄ねじ緩挿孔の内面に上記平面部を当接して回り止めを図った構成を有することを特徴とする請求項２乃至請求項３のいずれかに記載の釣竿用肘当て具。
【請求項５】
上記肘当て部材に設けた雄ねじ緩挿孔を肘当て部材と一体成形した金属製の座板で形成し、該金属製座板で雄ねじのヘッド部を座受けすると共に、雄ねじの首下部の平面部を上記金属製座板で形成された雄ねじ緩挿孔の内面に当接して回り止めを図った構成を有することを特徴とする請求項４記載の釣竿用肘当て具。
【発明の詳細な説明】
【技術分野】
【０００１】
本発明は、釣竿の竿尻部に取り付ける釣竿用肘当て具に関するものである。
【背景技術】
【０００２】
この種肘当て具は、アオリイカ・鯛・カワハギやクロダイ等用の釣り人が片手で操作する釣竿の竿尻部に取り付けられるもので、釣り人が肘を乗せることにより、大物が釣れた際等にも、獲物の動きに合わせて釣竿を容易に操作することを可能とするものであるが、従来は、固定式のものが多く、釣り人の好みに応じて取付位置が変更できる可動式のものが望まれていた。
【０００３】
そこで、可動式の釣竿用肘当て具として、具体的には図示しないが、表面側が凹状に湾曲した肘当て部と、該肘当て部の裏面側に設けられる断面Ｃ字状の装着部とを備え、該挿着部を釣竿の竿尻部の外周に嵌合して、当該肘当て具を釣竿の竿尻部に取り付ける構成のものが存する（例えば、特許文献１参照）。
【先行技術文献】
【特許文献】
【０００４】
【特許文献１】特開２００５−２７８５１０号公報
【発明の概要】
【発明が解決しようとする課題】
【０００５】
上記特許文献１の釣竿用肘当て具にあっては、釣竿の竿尻部に容易に脱着できると共に、取付位置を変更できる利点を有するものであるが、反面、釣竿の竿尻部に強固に取り付けることが困難であり、大物が釣れた際等の肘当て具に大きな力が加わるような場合には、容易に肘当て具が取付位置からずれて、獲物の動きに合わせて有効に釣竿を操作することができない恐れを有している。
【課題を解決するための手段】
【０００６】
本発明は、斯かる従来の可動式の釣竿用肘当て具が抱える課題を有効に解決することができる釣竿用肘当て具を提供するものである。
【０００７】
要述すると、釣竿の竿尻部上側に肘当て部材をあてがい、同下側に締結部材をあてがい、該肘当て部材と締結部材間を釣竿の竿尻部左右側において雄ねじにより締結するものである。
【０００８】
好ましくは、上記肘当て部材及び締結部材の双方に設けた雄ねじ緩挿孔に雄ねじを緩挿し、該雄ねじのヘッド部を上記肘当て部材又は締結部材の一方に設けた雄ねじ緩挿孔の開孔縁で座受けし、上記肘当て部材又は締結部材の他方に設けた雄ねじ緩挿孔から突出した雄ねじの軸部自由端にナットを螺合して締結する構造を有し、上記肘当て部材又は締結部材の一方又は双方に設けた雄ねじ緩挿孔が雄ねじの左右側方への移動を許容する長孔であることを特徴とするものである。
【０００９】
又、上記雄ねじの軸部自由端を突出させる雄ねじ緩挿孔の左右の少なくとも一方が釣竿の竿軸方向に開放せるＵ字孔であることを特徴とするものである。
【００１０】
好ましくは、上記雄ねじのヘッド部直下の首下部に平面部を形成し、該雄ねじのヘッド部を座受けする雄ねじ緩挿孔の内面に上記平面部を当接して回り止めを図った構成を有するものである。
【００１１】
更に、上記肘当て部材に設けた雄ねじ緩挿孔を肘当て部材と一体成形した金属製の座板で形成し、該金属製座板で雄ねじのヘッド部を座受けすると共に、雄ねじの首下部の平面部を上記金属製座板で形成された雄ねじ緩挿孔の内面に当接して回り止めを図った構成を有するものである。
【発明の効果】
【００１２】
依って、本発明に依れば、簡単な構成で容易に釣竿の竿尻部に脱着することができると共に、容易に取付位置・取付角度の変更を行うことができる。又、雄ねじにより締結することで、取付位置に確実強固に取り付けることができる。
【００１３】
又、肘当て部材又は締結部材の一方又は双方に設けた雄ねじ緩挿孔が雄ねじの左右側方への移動を許容する長孔であるので、釣竿の竿径が大きい場合にも対応することができる。
【００１４】
又、上記雄ねじの軸部を突出させる雄ねじ緩挿孔の左右の少なくとも一方が竿軸方向に開放せるＵ字孔である関係で、肘当て部材と締結部材間を締結しない程度に雄ねじの軸部自由端にナットを螺合したまま釣竿の竿尻部に脱着することができ、脱着作業が容易となると共に、ナットの紛失防止にも貢献できる。
【００１５】
又、雄ねじの平面部と雄ねじのヘッド部を座受けする雄ねじ緩挿孔の内面が当接して、雄ねじの回り止めを図るので、より確実に釣竿の竿尻部の取付位置に取り付けることができる。
【００１６】
更に、雄ねじのヘッド部を座受けする雄ねじ緩挿孔を金属製座板で形成することにより、上記雄ねじ緩挿孔の内面に雄ねじの平面部が当接しても、該雄ねじ緩挿孔の内面が摩耗したり変形したりすることを有効に防止できる。
【図面の簡単な説明】
【００１７】
【図１】本発明に係る釣竿用肘当て具の分解斜視図である。
【図２】（Ａ）は肘当て部材の正面図、（Ｂ）は（Ａ）の横断面図である。
【図３】（Ａ）は締結部材の正面図、（Ｂ）は同底面図である。
【図４】本発明に係る釣竿用肘当て具の取付状態を示す説明図である。
【図５】雄ねじの平面部と雄ねじ緩挿孔の内面の当接状態を示す説明図である。
【図６】（Ａ）は金属製座板と一体成形した肘当て部材の正面図、（Ｂ）は（Ａ）の横断面図である。
【図７】釣竿の竿径が大きい場合の取付状態を示す説明図である。
【図８】本発明に係る釣竿用肘当て具の使用状態を示す説明図である。
【発明を実施するための形態】
【００１８】
本発明は、釣竿の竿尻部上側に肘当て部材をあてがい、同下側に締結部材をあてがい、該肘当て部材と締結部材間を釣竿の竿尻部左右側において雄ねじにより締結することにより、簡単な構成で容易に釣竿の竿尻部に脱着することができ、容易に取付位置・取付角度の変更を行うことができると共に、取付位置に確実強固に取り付けることができる。
【実施例】
【００１９】
以下、本発明を図示する好適な実施例に基づいて詳述すれば、本発明に係る釣竿用肘当て具１は、図１に示す如く、基本的には、釣竿Ｒの竿尻部Ｒａ上側にあてがう肘当て部材２と、同下側にあてがう締結部材３とを備え、上記肘当て部材２と締結部材３間を釣竿Ｒの竿尻部Ｒａ左右側において雄ねじ４とナット５により締結する構成となっている。
【００２０】
尚、本実施例にあっては、後述するように、肘当て部材２及び締結部材３の双方に設けた雄ねじ４を挿入する孔を緩挿孔とした関係で、ナット５が必要となるが、本発明はこれに限られるものではなく、雄ねじ４を挿入する孔に雌ねじを刻設して、雄ねじ４のみで肘当て部材２及び締結部材３間を締結することも実施に応じ任意である。
【００２１】
そこで、まず、肘当て部材２について詳述すると、該肘当て部材２は、図２にも示す如く、横に細長い板状を呈し、表面側全体に断面弧状に窪んだ肘当て部２ａを設ける一方、裏面側中央に釣竿Ｒの竿尻部Ｒａの周面に当接する当接凹部２ｂを設け、上記肘当て部２ａの左右方向に一対の長楕円状の雄ねじヘッド収納部６を穿設すると共に、該各雄ねじヘッド収納部６の底面に長方形状の長孔である雄ねじ緩挿孔７を穿設する構成となっている。
【００２２】
次に、締結部材３は、図３にも示す如く、長楕円の板状を呈し、表面側中央に釣竿Ｒの竿尻部Ｒａの周面に当接する当接凹部３ａを設け、該当接凹部３ａを挟んで左右方向に一対の雄ねじ緩挿孔８を穿設し、該雄ねじ緩挿孔８の左右の一方８ａを正円孔とし、他方８ｂを釣竿Ｒの竿軸方向に開放せるＵ字孔８ｂとする構成となっている。
【００２３】
又、雄ねじ４は、図１に示す如く、ヘッド部４ａと該ヘッド部４ａの裏面側から垂下する軸部４ｂとを備え、上記ヘッド部４ａ直下の首下部４ｃを上記軸部４ｂよりも大径な断面矩形状と成して平面部９を形成する構成となっている。
【００２４】
尚、上記肘当て部材２及び締結部材３に設けた各雄ねじ緩挿孔７・８は、左右方向に各一対設けられているが、本発明はこれに限られるものではなく、各雄ねじ緩挿孔７・８の数が相互に同じであれば、一対以上の数とすることも実施に応じ任意である。
【００２５】
そして、斯かる構成の釣竿用肘当て具１を実際に釣竿Ｒの竿尻部Ｒａに取り付ける場合には、釣竿Ｒの竿尻部Ｒａ上側に肘当て部材２を当接凹部２ｂを利用してあてがい、同下側に締結部材３を当接凹部３ａを利用してあてがい、上記肘当て部材２及び締結部材３の双方に設けた各雄ねじ緩挿孔７・８に雄ねじ４を夫々緩挿し、各雄ねじ４の雄ねじヘッド４ａを上記肘当て部材２に設けた雄ねじ緩挿孔７の開孔縁で座受けし、上記締結部材３に設けた雄ねじ緩挿孔８から突出した雄ねじ４の軸部４ｂの自由端にワッシャー１０を介してナット５を螺合すれば、図４に示す如く、肘当て部材２と締結部材３間を釣竿Ｒの竿尻部Ｒａの左右側で締結することとなり、簡単な構成で容易に釣竿Ｒの竿尻部Ｒａに取り付けることができると共に、雄ねじ４とナット５による締結により、釣竿Ｒの竿尻部Ｒａに確実強固に取り付けることができる。尚、雄ねじ４のヘッド部４ａは、肘当て部材２の雄ねじヘッド収納部６内に収納され、釣り人が肘当て部２ａに肘を乗せる際に支障とならない。
【００２６】
この取付の際には、図５に示す如く、雄ねじ４のヘッド部４ａを座受けする雄ねじ緩挿孔７の内面に雄ねじ４の首下部４ｃの平面部９を当接して回り止めを図るので、より確実に釣竿Ｒの竿尻部Ｒａに取り付けることができる。
【００２７】
更に、図６に示す如く、肘当て部材２に設けた雄ねじ緩挿孔７を肘当て部材２と一体成形した金属製の座板１１で形成し、該金属製座板１１で雄ねじ４のヘッド部４ａを座受けすると共に、雄ねじ４の首下部４ｃの平面部９を上記金属製座板１１で形成された雄ねじ緩挿孔７の内面に当接して回り止めを図れば、雄ねじ緩挿孔７の内面が摩耗したり変形したりすることを有効に防止できる。
【００２８】
又、肘当て部材２に設けた雄ねじ緩挿孔７が雄ねじ４の左右側方への移動を許容する長孔であるので、図７に示す如く、釣竿Ｒの竿径が大きい場合でも、各雄ねじ４が外側方へ移動して対応することができる。尚、本実施例にあっては、肘当て部材２に設けた雄ねじ緩挿孔７を長孔とする構成となっているが、本発明はこれに限られるものではなく、締結部材３に設けた雄ねじ緩挿孔８を長孔とする構成や、両雄ねじ緩挿孔７・８を長孔とする構成とすることも実施に応じ任意である。
【００２９】
又、締結部材３に設けた雄ねじ緩挿孔８の左右の一方８ａを正円孔とし、他方８ｂを釣竿Ｒの竿軸方向に開放せるＵ字孔とした関係で、肘当て部材２と締結部材３間を締結しない程度に両雄ねじ４の軸部４ｂの自由端にナット５を螺合したままの状態で、雄ねじ緩挿孔８ａに緩挿している一方の雄ねじ４を回動中心として締結部材３を回動させるだけで、他方の雄ねじ４を雄ねじ緩挿孔８ｂに緩挿する作業や逆に該他方の雄ねじ４を雄ねじ緩挿孔８ｂから抜き出す作業を行うことができる。
【００３０】
従って、両雄ねじ４の軸部４ｂの自由端にナット５を螺合したまま釣竿用肘当て具１を釣竿Ｒの竿尻部Ｒａに脱着することができ、脱着作業が容易となると共に、ナット５及びワッシャー１０の紛失防止にも貢献できる。このことは、釣竿用肘当て具１を別の釣竿に付け替える場合や、屋外で脱着作業をする場合に特に有効となる。
【００３１】
尚、雄ねじ緩挿孔８の一方８ａと他方８ｂの孔形状を逆の構成とすることや、両孔８ａ・８ｂ共に、Ｕ字孔とすることも実施に応じ任意である。
【００３２】
そして、実際の使用に際しては、図８に示す如く、釣り人が釣竿Ｒを片手で把持すると共に、当該片手側の肘を肘当て部材２の肘当て部２ａに乗せれば、大物が釣れた際等の大きな力で釣竿Ｒを操作しなければならない場合でも、獲物の動きに合わせて有効に釣竿を操作することができ、しかも、釣竿用肘当て具１が不用意にずれてしまう恐れもない。
【００３３】
尚、釣り人の好みに応じて釣竿用肘当て具１の取付位置を変更する際には、両雄ねじ４に螺合している各ナット５を緩めて締結状態を解除すれば、釣竿用肘当て具１を釣竿Ｒの竿軸方向及び竿周方向に沿って移動させることができるので、容易に取付位置・取付角度を変更できる。
【００３４】
又、釣竿用肘当て具１を釣竿Ｒの竿尻部Ｒａから取り外す場合には、上述したように、両雄ねじ４の軸部４ｂの自由端にナット５を螺合したまま、容易に取り外すことができるが、両雄ねじ４に螺合している各ナット５を緩めて締結状態を解除して、釣竿用肘当て具１を釣竿Ｒの竿軸方向に沿って竿尻部Ｒａ側の端部まで移動させて取り外すか、或いは、両雄ねじ４に螺合している各ナット５及びワッシャー１０を取り外して、両雄ねじ４の雄ねじ緩挿孔８に対する緩挿状態を解除して締結部材３を取り外しても、容易に取り外すことができる。
【産業上の利用可能性】
【００３５】
本発明に係る釣竿用肘当て具は、簡単な構成で容易に釣竿の竿尻部に脱着することができ、容易に取付位置・取付角度の変更を行うことができると共に、取付位置に確実強固に取り付けることができるので、これを片手で操作する釣竿に取り付けて使用すれば、頗る好都合なものとなる。
【符号の説明】
【００３６】
１      釣竿用肘当て具
２      肘当て部材
２ａ    肘当て部
２ｂ    当接凹部
３      締結部材
３ａ    当接凹部
４      雄ねじ
４ａ    ヘッド部
４ｂ    軸部
４ｃ    首下部
６      雄ねじヘッド収納部
７      雄ねじ緩挿孔
８      雄ねじ緩挿孔
９      平面部
１０    ワッシャー
１１    金属製座板
Ｒ      釣竿
Ｒａ    竿尻部
【図１】
2011130716.tif 000003
【図２】
2011130716.tif 000004
【図３】
2011130716.tif 000005
【図４】
2011130716.tif 000006
【図５】
2011130716.tif 000007
【図６】
2011130716.tif 000008
【図７】
2011130716.tif 000009
【図８】
2011130716.tif 000010